(57)【要約】【課題】低コストで生産可能であって、被介護者の身体的、精神的負荷と介護職員の作業負荷を軽減させることが可能な介護用補助ベルトを提供することを目的とする。【解決手段】臥位の被介護者が臥床するベッドの幅方向両縁に立設された両サイドレールに、寝床面に沿わせて遊架可能な長さを有し、断面が平坦に形成された塑性変形可能な本体部と、前記本体部の長手方向の一端に、前記長手方向の他端を前記本体部の厚さ方向に挿通する挿通孔を設けた挿通部と、前記他端に設けた環状の把持部と、前記本体部の中央で長手方向に形成された所定長さのスリット部と、を有し、前記両サイドレールのうち、任意の一方の上辺に前記本体部を巻回し、折り返した先端を前記挿通部に挿通させて前記サイドレールの上辺に固定させる介護用補助ベルトを提供する。【選択図】図１
2018187372.tif 000002
【特許請求の範囲】
【請求項１】
臥位の被介護者に対する身体介護時に使用する介護用補助ベルトであって、
前記被介護者が臥床するベッドの幅方向両縁に立設された両サイドレールに、寝床面に沿わせて遊架可能な長さを有し、断面が平坦に形成された塑性変形可能な本体部と、前記本体部の長手方向一端に、前記長手方向の他端を前記本体部一端の厚さ方向に挿通する挿通孔を設けた挿通部と、前記他端に設けた環状の把持部と、前記本体部の中央で長手方向に形成された所定長さのスリット部と、を有し、
前記両サイドレールのうち、任意の一方の上辺に前記本体部を巻回し、折り返した前記他端を前記挿通部に挿通させて前記サイドレールの上辺に固定させることを特徴とする介護用補助ベルト。
【請求項２】
前記スリット部を形成する位置は、前記巻回する位置を前記被介護者の腰部と前記ベッドの幅方向に直線上で並ぶ位置とし、前記本体部を前記被介護者の足元で、前記巻回されたサイドレールに対向するサイドレール側にかけ渡し、前記把持部を持ってベッドの幅方向外側に引張するとともに、前記被介護者の自重によって前記巻回された部分が前記上辺で緊締状態に固定され、前記巻回された部分を固定端として、前記被介護者の足元背面と寝床面との間から前記被介護者の腰部方向に回動させ、前記巻回する位置と前記把持部とが前記ベッドの幅方向に対して平行な位置に到達したときに、被介護者の腰背部に対向する位置に形成されたものであることを特徴とする請求項１記載の介護用補助ベルト。
【請求項３】
前記スリット部は、少なくとも、介護用おむつを挟み込むことができる長さと幅を有することを特徴とする請求項１又は２記載の介護用補助ベルト。
【請求項４】
前記本体部を前記巻回されたサイドレールと反対側のサイドレールにかけ渡したときに、前記反対側のサイドレールから前記ベッドの外側に懸架される位置に、足先を挿入する挿入部を設けたことを特徴とする請求項１から請求項３までのいずれか１項に記載の介護用補助ベルト。
【請求項５】
前記挿入部は、前記本体部の長手方向に所定間隔で複数設けられていることを特徴とする請求項４記載の介護用補助ベルト。
【請求項６】
前記スリット部が、前記本体部の長手方向一辺の中央部に設けられた突片上であって、前記突片を本体部側に折り返したときに、前記本体部の中央で前記長手方向に位置するように形成されたことを特徴とする請求項１から請求項６までのいずれか１項に記載の介護用補助ベルト。
【請求項７】
前記本体部の短手方向におむつのサイドフラップを巻装させて固定する１対の固定帯が設けられていることを特徴とする請求項６記載の介護用補助ベルト。
【発明の詳細な説明】
【技術分野】
【０００１】
本発明は、臥位の被介護者に対する身体介護時に使用する介護用補助ベルトに関するものである。
【背景技術】
【０００２】
わが国では、総人口に占める高齢者の人口の割合が増大する高齢化社会が急速に進行している。一方、高齢者の増加と相反して介護職員の不足が慢性化している。介護職員不足は、複合的な理由によるものであるが、主要な理由の一つとして、介護職員一人当たりの物理的な作業負荷の増大が挙げられている。特に、いわゆる寝たきりの高齢者の排泄処理、着替え等、身体介護における体位の変更等の負荷は大きく、介護職員の体力的消耗を加速させている。
【０００３】
従来、前記高齢者をはじめ、臥位状態の被介護者の体位を変えるための支援器具として、被介護者の尻部を浮かせた状態の姿勢を保持するために、下肢とベッドの頭部側パイプとを結びつける補助ベルトが提案されていた（例えば、特許文献１参照。）。
【０００４】
しかし、特許文献１にかかる補助ベルトは、被介護者の脚部を頭部側で屈曲回転させるため、非介護者に体力的な負荷がかかるうえ、臀部を突き出した姿勢が強制されるため精神的抵抗感があった。
【０００５】
そこで、被介護者の前記体力的負荷、精神的抵抗感を軽減するため、被介護者の下に敷く大きめの布の左右に、ベッドの柵などにかけるＳ字フックを取り付ける位置を調整するための輪が連なった紐をつけ、前記大きめの布のうえに小さめの布を左右に各１枚ずつ中央側の短辺で縫い付け、前記小さめの布の反対の辺にはこの２枚を中央で固着させるように面ファスナをつけて、被介護者の体を小さめの布で巻いて体を安定させる介護用補助用品が提案されていた（例えば、特許文献２参照。）。
【０００６】
また、両端に引き紐を設けたベルトであって、ベルト本体部を被介護者とベッドとの間に入れて、臥位の被介護者側方の一側方にいる介護職員が、他側方に位置する引き紐を前記被介護者の腰部で巻き付けるようにして引き寄せることにより、被介護者を側方回転させるおむつ交換用の支援ベルトが提案されていた（例えば、特許文献３参照。）
【先行技術文献】
【特許文献】
【０００７】
【特許文献１】特開２００８−６２００３号公報
【特許文献２】特開２００８−２３７８５５号公報
【特許文献３】特開２０１４−１８２０７号公報
【発明の概要】
【発明が解決しようとする課題】
【０００８】
しかし、特許文献２は、ベッドの柵に固定する固定具がＳ字フックであるため、固定力が弱く、被介護者の姿勢を変位させるときに、被介護者の自重が、もとの安定した臥位状態に戻ろうとする力として作用し、Ｓ字フックが固定位置からずれるおそれがあった。また、被介護者の腰部から臀部にかけて本体を入れ込むためには一時的とはいえ、被介護者を寝床面から浮かす必要があり、そのための作業負荷が大きかった。さらに、おむつ交換の際には、本体が邪魔になるおそれがあった。
【０００９】
また、特許文献３では、ベルトを使用するとはいえ、仰臥位状態の被介護者を横向きに回転させるためには、一定の力を要し、また、おむつ交換作業中、かかる状態を維持しなければならないため、結果として介護職員の物理的作業負荷の軽減は限定的なものになるおそれがあった。
【００１０】
なお、例えば、電気的な駆動機構を備えた大掛かりな装置を用いれば、介護職員の物理的な負担を軽減することが可能であるが、大掛かりなものとなれば、当該装置の設置に時間を要する可能性が高く、また、そもそも、介護職員を抱える企業のコスト負担が大きくなるため、現実的な解決手段とはいえない。従って、特許文献１乃至３のように、部材として可搬性が良好で、簡易な構造のベルト状のものを選択することは好ましいと思われる。
【００１１】
本発明は、上記課題を解消させるためのものであり、低コストで生産可能であって、被介護者の身体的、精神的負荷と介護職員の作業負荷を軽減させることが可能な介護用補助ベルトを提供することを目的とする。
【課題を解決するための手段】
【００１２】
上記目的を達成させるために、本発明にかかる介護用補助ベルトは、前記被介護者が臥床するベッドの幅方向両縁に立設された両サイドレールに、寝床面に沿わせて遊架可能な長さを有し、断面が平坦に形成された塑性変形可能な本体部と、前記本体部の長手方向の一端に、前記長手方向の他端を前記本体部一端の厚さ方向に挿通する挿通孔を設けた挿通部と、前記他端に設けた環状の把持部と、前記本体部の中央で長手方向に形成された所定長さのスリット部と、を有し、
前記両サイドレールのうち、任意の一方の上辺に前記本体部を巻回し、折り返した他端を前記挿通部に挿通させて前記サイドレールの上辺に固定させることを最も主要な特徴とする。
【００１３】
また、前記スリット部を形成する位置は、前記巻回する位置を前記被介護者の腰部と前記ベッドの幅方向に直線上で並ぶ位置とし、前記本体部を前記被介護者の足元で、前記巻回されたサイドレールに対向するサイドレール側にかけ渡し、前記把持部を持ってベッドの幅方向外側に引張するとともに、前記被介護者の自重によって前記巻回された部分が前記上辺で緊締状態に固定され、前記巻回された部分を固定端として、前記被介護者の足元背面と寝床面との間から前記被介護者の腰部方向に回動させ、前記巻回する位置と前記把持部とが前記ベッドの幅方向に対して平行な位置に到達したときに、被介護者の腰背部に対向する位置とすればよい。
【００１４】
さらに、前記スリット部は、少なくとも、介護用おむつを挟み込むことができる長さと幅を有するものであってもよい。
【００１５】
これらの構成によれば、本発明にかかる介護用補助ベルトは、前記一端を容易にベッドに固定することができ、被介護者の臥位をほとんど変位させることなく、例えば取替え用おむつを所望の位置、すなわち、腰背部に移動させることが可能となる。
【００１６】
なお、前記本体部を前記巻回されたサイドレールと反対側のサイドレールにかけ渡したときに、前記反対側のサイドレールから前記ベッドの外側に懸架される位置に、足先を挿入する挿入部を設けてもよい。
【００１７】
この構成によれば、本発明にかかる介護用補助ベルトを使用する介護要員の体重をかけて被介護者の体を浮かすことが可能となる。
【００１８】
前記スリット部が、前記本体部の長手方向一辺の中央部に設けられた突片上であって、前記突片を本体部側に折り返したときに、前記本体部の中央で前記長手方向に位置するように形成されたものであってもよい。
【００１９】
この構成によれば、取替え用おむつを前記折り返したスリット部に挿入し、本体部と突片の間に収納、固定されるので、介護用補助ベルトを前記した通り、スリット部からずれることなく、被介護者の臀部にスムーズに移動させることができる。
【発明の効果】
【００２０】
本発明にかかる介護用補助ベルトは、被介護者の臥位をほとんど変位させることなく、身体介護を施すことが可能となるため、被介護者の身体的、精神的負荷が軽減されるという効果を奏する。
【００２１】
また、本発明にかかる介護用補助ベルトは、簡易な構造で可搬性が良好であり、ベッドへの固定も容易なうえ、足先を挿入する挿入部を設けたものである場合は、体重をかけて被介護者をベッドから浮かすことができ、介護職員の作業負荷を大幅に軽減させ、作業効率を向上させるという効果を奏する。
【００２２】
さらに、本発明にかかる介護用補助ベルトは、簡易な構造であり、かつ、軽量であるため、低コストで量産可能となり、個々の介護職員各々に所持させることも可能であるため、介護職員を雇用する企業にとっても、コスト負担の軽減になるとともに、作業負荷、作業効率の向上に伴って、介護職員の定着率向上にも資するという効果を奏する。
【図面の簡単な説明】
【００２３】
【図１】図１は、本発明にかかる介護用補助ベルトの第１実施形態を示す図である。
【図２】図２は、第１実施形態にかかる介護用補助ベルトの挿通部によってベッドのサイドレールに固定する場合の部分拡大図であり、（ａ）は、本体部他端の挿通前の状態を示した部分拡大図、（ｂ）は、本体部他端の挿通後の状態を示した部分拡大図、（ｃ）は、図２（ｂ）の状態の側断面図である。
【図３】図３は、第１実施形態にかかる介護用補助ベルトをサイドレールに取り付けてベッドの幅方向に遊架させた状態を示す図である。
【図４】図４は、おむつ取替えを例として第１実施形態にかかる介護用補助ベルトの使用方法を示した図であり、（ａ）は、被介護者の足元背面と寝床面との間に介護用補助ベルトを挟入した状態を示した図、（ｂ）は、介護用補助ベルトを図４（ａ）の状態から被介護者の腰背部に回動させた状態を示した図である。
【図５】図５は、第１実施形態にかかる介護用補助ベルトの挿入部に足先を挿入した状態を示した図である。
【図６】図６は、第１実施形態かかる介護用補助ベルトのスリット部の変形例を示した図である。
【図７】図７は、本発明にかかる介護用補助ベルトの第２実施形態を示す図である。
【図８】図８は、第２実施形態にかかる介護用補助ベルトにおむつを装着する手順を示した図であり、（ａ）は、おむつを装着する前の展開状態の図、（ｂ）は、突片部を本体部側に折り返した図、（ｃ）は、スリット部におむつを挿入した図、（ｄ）は、おむつをスリット部に挿入後、後見頃側の両サイドフラップを挿通帯に固定した状態を示した図である。
【図９】図９は、おむつの取替えを例として第２実施形態にかかる介護用補助ベルトの使用方法を示した図であり、（ａ）は、被介護者の足元背面と寝床面との間に介護用補助ベルトを挟入した状態を示した図、（ｂ）は、介護用補助ベルトを図４（ａ）の状態から被介護者の腰背部に回動させた状態を示した図である。
【発明を実施するための形態】
【００２４】
＜第１実施形態＞
図１を参照して、１は、第１実施形態にかかる介護用補助ベルトである。介護用補助ベルト１は、断面が平坦に形成された平ベルト状の本体部１１と、本体部１１の長手方向の一端に設けた挿通部１２と、本体部１１の長手方向の他端に設けた把持部１６と、挿通部１２と把持部１６との間に本体部１１の短手方向略中心位置に、長手方向に伸びたスリット部１４とから構成される。さらに、スリット部１４と把持部１６との間に後述するように足先挿入可能な挿入部１５を設けてもよい。本実施の形態では、挿入部１５を前記長手方向に５つ（１５ａ乃至１５ｅ）設けているが、挿入部１５の数は、本実施の形態に限定する趣旨ではない。なお、挿通部１２の基体部分は本体部１１の幅方向（短手方向）の寸法よりも大き目の幅寸を有した板状体を形成し、当該板状体の厚さ方向に向かって本体部１１を挿通させることが可能な挿通孔１３が開口されている。
【００２５】
介護用補助ベルト１の素材は、塑性変形可能な可撓性を有するものであれば特に限定しないが、被介護者を持ち上げた状態で引張するので、所定の強度は必要とする。前記強度（耐久性等）を満たすものとして、例えばポリプロピレンが好適である。
【００２６】
図２は、挿通部１２によってベッドのサイドレールＳに挿通する状態を示した部分拡大図である。以下、図２を使って介護用補助ベルト１をサイドレールＳに取り付ける方法について説明する。
【００２７】
一般に、介護用のベッドには、通常、被介護者の転落防止のためにサイドレールＳが設けられている。サイドレールＳの素材、形状は、ベッドによって異なるが、典型的には、断面円形の金属製パイプから成り、前記金属製パイプを矩形の枠体状に形成している。また、一般に、サイドレールＳの取り付け位置は、ベッドの幅方向両縁に、寝床面に対して立設して固定設置されるか、ヒンジを介してベッド使用時に、前記立設状態に回動させて固定設置されている。本実施の形態では、少なくとも、サイドレールＳの形状を矩形（長方形）状の枠体とし、前記立設させた状態で、上辺部が、断面円形のパイプ状とする。
【００２８】
図２（ａ）は、本体部１１の他端（把持部１６が設けられている側）の挿通前の状態を示したものである。すなわち、ベッドの寝床面を挟んで対抗設置されたサイドレールＳのうち、任意の一方のサイドレールＳの上辺部のパイプを頂点として、寝床面側に一端となる挿通部１２、ベッドの外側に本体部１１及び他端となる把持部１６を懸垂状に載置する。なお、前記載置された挿通孔１３から臨む位置に、前記上辺部のパイプが見えるようにしてもよいが、少なくとも、挿通孔１３の下部は、本体部１１が前記ベッドの外側から前記上辺部のパイプに阻害されずに進入可能なように、パイプの下側が見えるような位置関係で載置することが好ましい。
【００２９】
図２（ｂ）は、本体部他端の挿通後の状態を示した部分拡大図である。すなわち、図２（ａ）の状態から、把持部１６側から、前記上辺部のパイプを巻回（本実施の形態で時計回りに巻回）するように本体部１１の他端を折り返し、挿通孔１３に挿通する。挿通孔１３から前記挿通された本体部１１が前記上辺部のパイプに密着状態に巻回されるまで引き出すことにより、介護用補助ベルト１は、前記一端側で固定される。図２（ｃ）は、かかる固定された状態の側断面図である。
【００３０】
なお、図２では、前記した通り、懸垂状に載置する方法で説明したが、逆向き、すなわち、カテナリー曲線状（懸垂曲線状）にして、前記巻回する方向を逆時計回りにして本端部１１を挿通孔１３に挿通する方法でもよい（図示せず）。
【００３１】
図３は、図２で説明した通り、介護用補助ベルト１の一端側を一方のサイドレールＳで固定した状態で、介護用補助ベルト１をベッドＢの寝床面Ｋに沿わせて、前記サイドレールＳに対向する反対側のサイドレールＳに架け渡した状態を示した図である。後述するように、寝床面Ｋに仰臥する被介護者を浮かすために、介護用補助ベルト１を引張するため、引張前は、両サイドレールＳに架け渡した状態で緊張状態とならないように余長を設け、図３のように両サイドレールＳに遊架可能な長さとすることが好ましい。具体的な長さは、ベッドＢの大きさにもよるが、例えば、サイドレールＳの前記上辺部からベッドＢを置く床面までの高さが８０ｃｍ、寝床面Ｋの幅が１００ｃｍのベッドの場合、介護用補助ベルト１の長手方向の長さは、２８０ｃｍ程度あればよい。なお、介護用補助ベルト１の長さを使用するベッドＢの大きさ（具体的には、サイドレールＳの高さと寝床面Ｋの幅）に合わせて調節できるように、バックルを設けてもよい（図示せず）。
【００３２】
また、前記の通り、介護用補助ベルト１で支持しながら被介護者を浮かすため、被介護者の体表面を極度に圧迫しないように、介護用補助ベルト１の短手方向も所定の幅を有することが好ましい。例えば、前記短手方向の幅寸を１５ｃｍ程度とすればよい。さらに、本体部１１の被介護者Ｃの腰背部に対応する部分のみ幅広に形成するものであってもよい（図示せず）。
【００３３】
図４は、介護用補助ベルト１を使って、ベッドＢの寝床面Ｋで、仰臥位状態の被介護者Ｃにおむつを装着する方法を示した図である。
【００３４】
図４（ａ）は、おむつＤをスリット部１４に貫装させて、介護用補助ベルト１を被介護者Ｃの足元背面と寝床面Ｋとの間に挟入した状態を示したものである。このとき、介護用補助ベルト１の一端側、すなわち、挿通部１２側は、図２で説明したように固定されている。前記固定する位置は、被介護者Ｃの腰部とベッドＢの幅方向に直線上（直線Ｌ上）で並ぶ位置である。なお、被介護者Ｃの足元背面と寝床面Ｋとの間に介護用補助ベルト１を挟入するためには、被介護者Ｃの足を若干持ち上げる必要はあるが、被介護者Ｃの体全体を持ち上げる場合と比べて格段に小さな力で持ち上がるので介護職員の体力的負荷は非常に小さい。
【００３５】
介護用補助ベルト１は、前記挟入する際に、挿通部１２が固定されたサイドレールＳに対向する反対側のサイドレールＳ側に架け渡される。架け渡された介護用補助ベルト１の把持部１６を持ってベッドＢの幅方向外側に引張することにより、挿通部１２の巻回されている部分は、介護者の自重によって緊締状態となり、固定端となる。
【００３６】
介護用補助ベルト１は、巻回されている挿通部１２側を固定端とすることにより、他端の把持部１６側は自由端となる。自由端となった把持部１６を持って前記引張状態を維持しながら、被介護者Ｃの腰部方向に引き寄せると、介護用補助ベルト１は、図４（ｂ）で示す通り、前記足元背面と寝床面Ｋとの間に挟入した状態の位置Ｐから弧状の軌道Ａに沿って直線Ｌ方向に回動する。介護用補助ベルト１が、直線Ｌ上に一致すると、スリット部１４に貫装されたおむつＤは、被介護者Ｃの腰背部に到達する。この状態で、介護用補助ベルト１を取り去りおむつＤを装着すればよい。
【００３７】
なお、介護用補助ベルト１を前記回動させる場合に、自由端側も前記反対側のサイドレールＳに架けることにより、前記固定端と自由端は、両サイドレールＳの高さになるため、把持部１６を前記引張状態にすることで、自ずと被介護者Ｃの体が浮上する方向にも動くことになる。被介護者Ｃの体を極端に浮かすと、被介護者Ｃの体が介護用補助ベルト１に密着状態になり、前記回動を阻害するため、若干浮かして被介護者Ｃと寝床面Ｋとの間に隙間を形成しつつ、回動させればよい。
【００３８】
介護用補助ベルト１を使用することにより、被介護者ＣのおむつＤの装着作業で、被介護者Ｃの臥位（本実施形態では仰臥位）をほとんど変位させることなく、被介護者Ｃの腰背部にまでおむつＤを到達させることができるため、おむつＤの装着作業を行う介護職員の作業負荷を軽減できるとともに、被介護者Ｃの肉体的、精神的な負荷も軽減することができる。
【００３９】
さらに、おむつＤの交換又は床ずれ・褥瘡防止のため、被介護者Ｃの体を浮かす必要がある場合、さらに、把持部１６を持ってベッドＢの幅方向外側に引張すればよく、直接被介護者Ｃの体を持ち上げる場合に比べて、介護職員の体力的負荷は各段に軽減される。
【００４０】
ここで、前記おむつＤの交換、床ずれ・褥瘡防止のほか、前記おむつＤの装着作業で、被介護者Ｃの臀部近傍は、特に寝床面Ｋとの隙間がないため、この場合も、被介護者Ｃの体を若干浮かす必要がある。介護職員が、介護用補助ベルト１を引き寄せる力が弱い場合、又は被介護者Ｃの体重が重い場合などは、把持部１６によって手で引き寄せるだけでは十分に持ち上がらない可能性がある。また、被介護者Ｃの体を浮かしながら、両手で作業をする必要が生じる場合がある。この場合、図５で示す通り、前記介護職員が、挿入部１５ａに足Ｆを挿入し、体重をかけて床面方向に押し下げれば、把持部１５で引き寄せて被介護者Ｃの体を浮かすよりも、比較的容易に浮かすことができ、さらに、両手も解放されるため、作業効率が向上する。
【００４１】
図６は、スリット部１４の変形例を示した図である。本変形例では、図６（ａ）で示す通り、スリット部の中間部１４ａと長手方向両端部１４ｂのスリット幅を変えたもので、中間部１４ａのスリット幅が長手方向両端部１４ｂのスリット幅よりも大きく形成されている。
【００４２】
ところで、出願人は、図６（ｂ）で示すように、おむつＤのサイドフラップを上面にて固定するボードを先に出願（特願２０１６−１３３３５５）したが、このボードにおむつＤを載置すると、両端のボード部分の厚さと、おむつＤを載置した部分厚さが異なる。とくにおむつＤは、ボードと異なり、前記貫装するスリット幅が狭いと、スリットに抗して貫装しにくく、スリット手前で進入を阻害され、ボードだけが進入する結果、おむつＤによれが生じる場合がある。そこで、前記ボードに装着したおむつＤをスムーズにスリットに通すため（図６（ｃ）参照）、スリット部を図６（ａ）で示したような形状とした。
【００４３】
＜第２実施形態＞
図７を参照して、２は、第２実施形態にかかる介護用補助ベルトである。介護用補助ベルト２は、介護用補助ベルト１同様、ベルト状の本体部２１を有するが、スリットを本体に直接形成せず、本体部２１の長手方向１辺の中央部に設けられた突片部２４の長手方向略中央にスリット部２５を形成する。
【００４４】
本体部２１には、短手方向におむつのサイドフラップを巻装させて固定する１対の固定帯２２を設けてもよい。
【００４５】
また、介護用補助ベルト２は、介護用補助ベルト１のように、本体部の長手方向両端に挿通部１２と把持部１６のような異なる構成、機能のものではなく、同一形状の輪状部２３が前記両端に設けられている。輪状部２３の径サイズは、特に限定しないが、介護用補助ベルト１と同様、輪状部２３の一方から、本体部２１をベッドのサイドレール上辺部のパイプに巻回させるように折り返して他方の輪状部２３にくぐらせ、本体部２１が前記パイプに密着状態に巻回されるまで引き出すことにより、介護用補助ベルト２を固定するようにするため、少なくとも、本体部２１を挿通させることが可能な径サイズが必要となる。
【００４６】
介護用補助ベルト２の素材も特に限定はしないが、後述するように、使用時には、少なくとも、おむつの後身頃部分を覆うことになるため、本体部２１の短手方向の幅を介護用補助ベルト１よりも大き目に形成する必要がある。従って、前記した通り、輪状部２３に挿通する際に、細くできるよう柔軟な素材（輪状部２３に挿通できる形に変形可能な素材）であること、さらには、おむつの着脱に使用することから、防水性を有すること、さらには、後述するように、ベッドと要介護者の間で摺動する際に、滑りやすい素材であること、が好ましい。たとえば、ナイロンタフタなどが好適である。
【００４７】
図８は、介護用補助ベルト２におむつＤを装着する手順を示したものである。図８（ａ）は、図７同様の状態、すなわち、おむつＤの装着前で、突片部２４を展開した状態の図である。
【００４８】
図８（ａ）の状態から、おむつを装着するスペースを形成するために、突片部２４を本体部２１側に折り返す（図８（ｂ）参照）。前記折り返した突片部２４と本体部２１との間に形成されている内部の空間に、スリット部２５からおむつＤを挿入する。従って、おむつＤの挿入により、突片部２４と本体部２１とでおむつＤを挟むような状態になる。なお、おむつＤは、後見頃側から挿入する。おむつＤのサイドフラップ展開状態では、スリット部２５に入らない場合は、後見頃側サイドフラップｄ２、ｄ３をおむつ本体ｄ１側に折り曲げればよい。従って、スリット部２５のサイズは、長手方向は、少なくとも、おむつ本体ｄ１の幅相当の長さを有し、短手方向は、少なくとも、おむつ本体ｄ１と後見頃側サイドフラップｄ２又はｄ３とを重ねた厚さ相当の幅が必要である。
【００４９】
次いで、図８（ｄ）で示す通り、スリット部２５に挿入したおむつＤの上端部（後見頃側のおむつ本体ｄ１の長手方向上辺部）が、前記突片部２４の折り返し内辺に当接するところまで挿入する。挿入後、前記後見頃側サイドフラップｄ２、ｄ３を展開し、各々、本体部２１と固定帯２２との間を挿通して折り返す。折り返した後見頃側サイドフラップｄ２、ｄ３の先端に取り付けられている面ファスナｄ２１、ｄ３１を突片部２４と固定帯２２との間で本体部２１上面（おむつＤ装着側の面）で露出している後見頃側サイドフラップｄ２、ｄ３に接着しておむつＤを固定する。
【００５０】
本実施形態にかかる介護用補助ベルト２は、介護用補助ベルト１と異なり、前記折り返された突片部２４と本体部２１との間に形成された空間内におむつＤを収納することにより、少なくとも、介護用補助ベルト２の上面上では、おむつＤは露出しない。したがって、このような構成とすることで、後述するように、被介護者におむつＤを装着する際、おむつＤが直接要介護者に接触して摺動することがなく、おむつＤのよれを防ぐほか、おむつＤの表面を要介護者に装着するまで清潔に保つこともできる。さらに、前記した通り、介護用補助ベルト２の素材をナイロンタフタ等、滑りの良い素材とすることで、介護者の作業負荷の軽減にも寄与する。
【００５１】
図９は、介護用補助ベルト２を使って、ベッドＢの寝床面Ｋで、仰臥位状態の被介護者Ｃにおむつを装着する方法を示した図である。装着方法は、介護用補助ベルト１の場合（図４参照）と基本的に同じである。すなわち、図９（ａ）で示す通り、まず、介護用補助ベルト２の一端側の輪状部２３をベッドＢのサイドレールＳのいずれか一方で固定し、図８で説明した手順でおむつＤを装着した介護用補助ベルト２を被介護者Ｃの足元背面と寝床面Ｋとの間に挟入する。自由端となった方の輪状部２３を持って引張状態で、被介護者Ｃの腰部方向に引き寄せると、介護用補助ベルト２は、図９（ｂ）で示す通り、前記足元背面と寝床面Ｋとの間に挟入した状態の位置Ｐから弧状の軌道Ａに沿って回動し、被介護者Ｃの臀部と両端の輪状部２３、２３とを直線で結ぶ線上であってベッドＢの幅方向に平行な位置に到達する。
【００５２】
図９（ｂ）では、おむつＤの前身頃を股間から被介護者Ｃの前面（正面）に引き上げた状態を示している。この状態から、図８（ｄ）で説明した通り、介護用補助ベルト２に固定されているおむつＤの後身頃側を取り外す。すなわち、まず、面ファスナｄ２１、ｄ３１を後身頃側サイドフラップｄ２、ｄ３から剥がし、各々固定帯２２から引き抜く。次いで、後身頃側サイドフラップｄ２、ｄ３を被介護者Ｃの腰部両側方から前記前身頃側に引き上げ、面ファスナｄ２１、ｄ３１を前身頃側サイドフラップｄ４、ｄ５に接着し、被介護者ＣにおむつＤを装着する。従って、図９（ｂ）の状態になった後、おむつＤを被介護者Ｃに装着するまでの前記一連の作業において、被介護者Ｃを移動させることなくおむつＤの装着作業が可能になるため、介護者の負荷は、従来のおむつ装着支援具等に比べて格段に軽減される。
【００５３】
おむつＤを被介護者Ｃに装着後、被介護者Ｃの臀部下にある介護用補助ベルト２をさらに、被介護者Ｃの頭部方向に引き上げると、被介護者Ｃが、仰臥位状態であるため、臀部によって腰部と寝床面Ｋとの間に形成されている空間に介護用補助ベルト２を手繰り寄せることができ、容易に被介護者Ｃの腰背部から介護用補助ベルト２を容易に、かつ、被介護者Ｃ背後で強く擦過することなく、取り出することができる。
【００５４】
なお、介護用補助ベルト２は、前記の通り、両端に同一の輪状部２３を形成することにより、サイドレールＳに固定せず、介護者の両手で各々の輪状部２３を把持し、交互に上下させながら、被介護者Ｃの頭部方向に引き上げるようにしてもよい（図示せず）。
【符号の説明】
【００５５】
１    介護用補助ベルト（第１実施形態）
１１  本体部  
１２  挿通部
１３  挿通孔
１４  スリット部
１５  挿入部
１６  把持部
２    介護用補助ベルト（第２実施形態）
２１  本体部
２２  固定帯
２３  輪状部
２４  突片部
２５  スリット部
Ｂ    ベッド
Ｓ    サイドレール
Ｋ    寝床面
Ｄ    おむつ
【図１】
2018187372.tif 000003
【図２】
2018187372.tif 000004
【図３】
2018187372.tif 000005
【図４】
2018187372.tif 000006
【図５】
2018187372.tif 000007
【図６】
2018187372.tif 000008
【図７】
2018187372.tif 000009
【図８】
2018187372.tif 000010
【図９】
2018187372.tif 000011